(57)【要約】【課題】  被検体の部位を容易に判定することができる核医学診断装置およびそれに用いられる診断システムを提供することを目的とする。【解決手段】  被検体Ｍの外部にある点線源４について、その点線源４から照射されて被検体Ｍを透過したγ線により求められた形態情報（吸収補正データ）に基づいて、部位判定部１２は被検体Ｍの部位を足部である・足部でないと判定する。この形態情報を有した吸収補正データを利用して被検体Ｍの部位を足部である・足部でないと容易に判定することができる。【選択図】        図１
2006262962.tif 000002
【特許請求の範囲】
【請求項１】
放射性薬剤が投与された被検体から発生した放射線に基づいて投影データを求め、その投影データを再構成して被検体の核医学用の断層画像を求めるとともに、被検体の外部にある放射線源について、その放射線源から照射されて被検体を透過した放射線に基づいて形態情報を求める核医学診断装置であって、前記形態情報に基づいて被検体の部位を判定する部位判定手段を備えることを特徴とする核医学診断装置。
【請求項２】
請求項１に記載の核医学診断装置において、前記部位判定手段によって判定された被検体の部位に基づいて、診断データの収集に関するデータ収集条件を設定変更するデータ収集条件設定手段を備えることを特徴とする核医学診断装置。
【請求項３】
請求項２に記載の核医学診断装置において、前記データ収集条件は、被検体を載置する天板の移動速度であって、前記データ収集条件設定手段は、前記被検体の部位に基づいて前記天板の移動速度を設定変更することを特徴とする核医学診断装置。
【請求項４】
請求項１から請求項３のいずれかに記載の核医学診断装置において、前記装置は、前記放射線源を備え、放射線源は前記放射性薬剤と同じ放射線を照射することを特徴とする核医学診断装置。
【請求項５】
請求項１から請求項４のいずれかに記載の核医学診断装置に用いられる診断システムであって、前記システムは、核医学診断装置とＸ線ＣＴ装置とを備えて構成されており、前記核医学診断装置は、放射性薬剤が投与された被検体から発生した放射線に基づいて投影データを求め、その投影データを再構成して被検体の核医学用の断層画像を求め、前記Ｘ線ＣＴ装置は、被検体の外部から照射されて被検体を透過したＸ線に基づいて投影データを求め、その投影データを再構成して被検体のＸ線ＣＴ用の断層画像を求め、前記核医学診断装置は、前記Ｘ線ＣＴ装置で用いられるＸ線に基づいて形態情報を求め、その形態情報に基づいて被検体の部位を判定する部位判定手段を備えることを特徴とする診断システム。
【発明の詳細な説明】
【技術分野】
【０００１】
この発明は、放射性薬剤が投与された被検体から発生した放射線に基づいて投影データを求め、その投影データを再構成して被検体の核医学用の断層画像を求める核医学診断装置およびそれに用いられる診断システムに係り、特に、被検体の外部にある放射線源について、その放射線源から照射されて被検体を透過した放射線に基づいて形態情報を求める技術に関する。
【背景技術】
【０００２】
上述した核医学診断装置、すなわちＥＣＴ(Emission Computed Tomography)装置として、ＰＥＴ(Positron Emission Tomography)装置を例に採って説明する。ＰＥＴ装置は、陽子（Positron）、すなわちポジトロンの消滅によって発生する複数本のγ線を検出して複数個の検出器でγ線を同時に検出したときのみ被検体の断層画像を再構成するように構成されている。
【０００３】
このＰＥＴ装置では、放射性薬剤を被検体に投与した後、対象組織における薬剤蓄積の過程を経時的に測定することで、様々な生体機能の定量測定が可能である。したがって、ＰＥＴ装置によって得られる断層画像は機能情報を有する。
【０００４】
しかしながら、上述した断層画像では位置情報などの形態情報については乏しい。そこで、形態情報を取得する手段として、外部線源から照射されて被検体を透過したγ線に基づいて得られた吸収補正データ（『トランスミッションデータ』とも呼ばれる）を利用する。
【０００５】
ところで、ＰＥＴ装置で投影データや断層画像といった診断データを収集する際には、被検体を載置する天板を移動させて走査することで、走査範囲の撮像部位のデータを得る。この天板の移動速度は常に一定である。被検体の全身を撮像部位とする場合には、被検体の頭部から足までを走査範囲として、天板を一定の速度で移動させる（例えば、特許文献１参照）。
【特許文献１】特開平８−３１３６３６号公報（第２，３頁、図１）
【発明の開示】
【発明が解決しようとする課題】
【０００６】
しかしながら、全身を対象にするＰＥＴ装置による撮像において、多くの症例を有する頭部や腹部に比べ、股関節より下のいわゆる足の部分の重要度はそれほど高くない。それにも関わらず、足の部分は全身に占める長さの割合が高いので、データ収集に多くの時間を費やしてしまう。そこで、被検体の部位を判定して、その部位に基づいてデータ収集条件を変えることが重要になる。しかし、ＰＥＴ装置などの核医学診断装置単独では形態情報が乏しいので、機能情報のみでは被検体の部位を判定することが難しい。
【０００７】
この発明は、このような事情に鑑みてなされたものであって、被検体の部位を容易に判定することができる核医学診断装置およびそれに用いられる診断システムを提供することを目的とする。
【課題を解決するための手段】
【０００８】
発明者は、上記の問題を解決するために鋭意研究した結果、次のような知見を得た。
すなわち、上述した吸収補正データ（トランスミッションデータ）に着目してみた。本来、吸収補正データは、ＰＥＴ用のデータ（投影データ）の吸収補正を行うためのものであるが、吸収補正データ自身が形態情報を有している。そこで、ＰＥＴ装置などの核医学診断装置単独では形態情報が乏しいが、上述した形態情報を利用して、被検体の部位を判定するという知見を得た。
【０００９】
このような知見に基づくこの発明は、次のような構成をとる。
すなわち、請求項１に記載の発明は、放射性薬剤が投与された被検体から発生した放射線に基づいて投影データを求め、その投影データを再構成して被検体の核医学用の断層画像を求めるとともに、被検体の外部にある放射線源について、その放射線源から照射されて被検体を透過した放射線に基づいて形態情報を求める核医学診断装置であって、前記形態情報に基づいて被検体の部位を判定する部位判定手段を備えることを特徴とするものである。
【００１０】
［作用・効果］請求項1に記載の発明によれば、被検体の外部にある放射線源について、その放射線源から照射されて被検体を透過した放射線により求められた形態情報に基づいて、部位判定手段は被検体の部位を判定する。この形態情報を利用して被検体の部位を容易に判定することができる。
【００１１】
上述した発明の一例は、上述した部位判定手段によって判定された被検体の部位に基づいて、診断データの収集に関するデータ収集条件を設定変更するデータ収集条件設定手段を備えることである（請求項２に記載の発明）。データ収集条件設定手段が、被検体の部位に基づいてデータ収集条件を設定変更することで、重要度の低い部位ではデータ収集条件の収集度を低くして、重要度の高い部位ではデータ収集条件の収集度を高くして、データ収集を効率よく行うことができる。
【００１２】
上述したデータ収集条件の一例は、被検体を載置する天板の移動速度であって、上述したデータ収集条件設定手段は、被検体の部位に基づいて天板の移動速度を設定変更する（請求項３に記載の発明）。この場合には、被検体の部位に基づいて、重要度の低い部位では天板の移動速度を速くして収集度を低くして、重要度の高い部位では天板の移動速度を遅くして収集度を高くして、データ収集を効率よく行う。
【００１３】
上述したこれらの発明の一例において、核医学診断装置は、上述した放射線源を備え、放射線源は上述した放射性薬剤と同じ放射線を照射する（請求項４に記載の発明）。この一例の場合、核医学診断装置が放射線源を備え、放射線源が放射性薬剤と同じ放射線を照射して被検体を透過することで、その放射線に基づいて形態情報を求める。そして、この形態情報を利用して被検体の部位を判定する。
【００１４】
また、上述した発明に係る核医学診断装置に用いられる診断システムに適用してもよい。すなわち、この診断システムは、核医学診断装置とＸ線ＣＴ装置とを備えて構成されており、核医学診断装置は、放射性薬剤が投与された被検体から発生した放射線に基づいて投影データを求め、その投影データを再構成して被検体の核医学用の断層画像を求め、Ｘ線ＣＴ装置は、被検体の外部から照射されて被検体を透過したＸ線に基づいて投影データを求め、その投影データを再構成して被検体のＸ線ＣＴ用の断層画像を求め、核医学診断装置は、Ｘ線ＣＴ装置で用いられるＸ線に基づいて形態情報を求め、その形態情報に基づいて被検体の部位を判定する部位判定手段を備える（請求項５に記載の発明）。このシステムの場合、Ｘ線ＣＴ装置において、被検体の外部から照射されて被検体を透過したＸ線に基づいて投影データを求め、その投影データを再構成して被検体のＸ線ＣＴ用の断層画像を求める際に用いられるＸ線を利用し、このＸ線に基づいて形態情報を求める。そして、この形態情報を利用して被検体の部位を判定する。
【発明の効果】
【００１５】
この発明に係る核医学診断装置およびそれに用いられる診断システムによれば、被検体の外部にある放射線源について、その放射線源から照射されて被検体を透過した放射線により求められた形態情報に基づいて、部位判定手段は被検体の部位を判定する。この形態情報を利用して被検体の部位を容易に判定することができる。
【実施例】
【００１６】
以下、図面を参照してこの発明の実施例を説明する。
図１は、実施例に係るＰＥＴ(Positron Emission Tomography)装置の側面図およびブロック図である。なお、本実施例では、核医学診断装置として、ＰＥＴ装置を例に採って説明する。
【００１７】
本実施例に係るＰＥＴ装置は、図１に示すように、被検体Ｍを載置する天板１を備えている。この天板１は、上下に昇降移動、被検体Ｍの体軸Ｚに沿って平行移動するように構成されている。本実施例では、被検体Ｍの体軸Ｚに沿った天板１の移動速度を、後述する天板駆動部６で設定変更するように構成されている。このように構成することで、天板１に載置された被検体Ｍは、後述するガントリ２の開口部２ａを通って、頭部から順に腹部、足部へと走査されて、被検体Ｍの投影データや断層画像といった診断データを得る。
【００１８】
天板１の他に、本実施例装置は、開口部２ａを有したガントリ２と、互いに近接配置された複数個のシンチレータブロック３ａと複数個のフォトマルチプライヤ３ｂとを備えている。図１（ｂ）に示すように、シンチレータブロック３ａおよびフォトマルチプライヤ３ｂは、被検体Ｍの体軸Ｚ周りを取り囲むようにしてリング状に配置されており、ガントリ２内に埋設されている。フォトマルチプライヤ３ｂは、シンチレータブロック３ａよりも外側に配設されている。シンチレータブロック３ａの具体的な配置としては、例えば、被検体Ｍの体軸Ｚと平行な方向にはシンチレータブロック３ａが２個並び、被検体Ｍの体軸Ｚ周りにはシンチレータブロック３ａが多数個並ぶ形態が挙げられる。シンチレータブロック３ａおよびフォトマルチプライヤ３ｂで後述する投影データ（『エミッションデータ』とも呼ばれる）用のγ線検出器３を構成する。
【００１９】
また、本実施例では、点線源４と後述する吸収補正データ（トランスミッションデータ）用のγ線検出器５を備えている。吸収補正データ用のγ線検出器５は、投影データ用のγ線検出器３と同様にシンチレータブロックとフォトマルチプライヤとで構成されている。点線源４は、被検体Ｍに投与する放射性薬剤、すなわち放射性同位元素（ＲＩ）と同種の放射線（本実施例ではγ線）を照射させる線源であって、被検体Ｍの外部に配設されている。本実施例では、ガントリ２内に埋設されている。点線源４は被検体Ｍの体軸Ｚ周りに回転する。点線源４は、この発明における放射線源に相当する。
【００２０】
その他にも、本実施例装置は、天板駆動部６とコントローラ７と入力部８と出力部９と投影データ導出部１０と吸収補正データ導出部１１と部位判定部１２と吸収補正部１３と再構成部１４とを備えている。天板駆動部６は、天板１の上述した移動を行うように駆動する機構であって、図示を省略するモータなどで構成されている。
【００２１】
コントローラ７は、本実施例装置を構成する各部分を統括制御する。コントローラ７は、中央演算処理装置（ＣＰＵ）などで構成されている。なお、本実施例ではコントローラ７は、後述する部位判定部１２で判定された被検体Ｍの部位に基づいて天板駆動部６を操作することで、天板１の移動速度を設定変更する。コントローラ７は、この発明におけるデータ収集条件設定手段に相当する。
【００２２】
入力部８は、オペレータが入力したデータや命令をコントローラ７に送り込む。入力部８は、マウスやキーボードやジョイスティックやトラックボールやタッチパネルなどに代表されるポインティングデバイスで構成されている。出力部９はモニタなどに代表される表示部やプリンタなどで構成されている。
【００２３】
投影データ導出部１０と吸収補正データ導出部１１と部位判定部１２と吸収補正部１３と再構成部１４とは、ＲＯＭ（Read-only Memory）などで構成される記憶媒体（図示省略）に記憶されたプログラムあるいは入力部８で入力された命令をコントローラ７が実行することで実現され、これらで処理されたデータをＲＡＭ（Random-Access Memory）などに代表される記憶媒体（図示省略）に書き込んで記憶し、必要に応じてその記憶媒体から読み出す。
【００２４】
放射性薬剤が投与された被検体Ｍから発生したγ線をシンチレータブロック３ａが光に変換して、変換されたその光をフォトマルチプライヤ３ｂが光電変換して電気信号に出力する。その電気信号を画像情報（画素）として投影データ導出部１０に送り込む。
【００２５】
具体的には、被検体Ｍに放射性薬剤を投与すると、ポジトロン放出型のＲＩのポジトロンが消滅することにより、２本のγ線が発生する。投影データ導出部１０は、シンチレータブロック３ａの位置とγ線の入射タイミングとをチェックし、被検体Ｍを挟んで互いに対向位置にある２つのシンチレータブロック３ａでγ線が同時に入射したときのみ、送り込まれた画像情報を適正なデータと判定する。一方のシンチレータブロック３ａのみにγ線が入射したときには、投影データ導出部１０は、ポジトロンの消滅により生じたγ線ではなくノイズとして扱い、そのときに送り込まれた画像情報もノイズと判定してそれを棄却する。
【００２６】
投影データ導出部１０に送り込まれた画像情報を投影データとして、吸収補正部１３に送り込む。吸収補正部１３に送り込まれた投影データに、吸収補正データ導出部１１から吸収補正部１３に送り込まれた吸収補正データ（トランスミッションデータ）を作用させて、被検体Ｍの体内でのγ線の吸収を考慮した投影データに補正する。
【００２７】
なお、点線源４が被検体Ｍの体軸Ｚの周りを回転しながら被検体Ｍに向けてγ線を照射し、照射されたγ線を吸収補正データ用のγ線検出器５のシンチレータブロック（図示省略）が光に変換して、変換されたその光をγ線検出器５のフォトマルチプライヤ（図示省略）が光電変換して電気信号に出力する。その電気信号を画像情報（画素）として吸収補正データ導出部１１に送り込むとともに、部位判定部１２にも送り込む。
【００２８】
吸収補正データ導出部１１に送り込まれた画像情報に基づいて吸収補正データを求める。吸収補正データ導出部１１は、γ線またはＸ線の吸収係数とエネルギーとの関係を表す演算を利用することで、ＣＴ用の投影データ、すなわちＸ線吸収係数の分布データをγ線吸収係数の分布データに変換して、γ線吸収係数の分布データを吸収補正データとして求める。導出された吸収補正データは上述した吸収補正部１３に送られる。
【００２９】
部位判定部１２に送り込まれた画像情報に基づいて被検体Ｍの部位を判定する。本実施例での具体的な判定方法については、図２の説明図および図３のフローチャートを参照して後述する。部位判定部１２は、この発明における部位判定手段に相当する。
【００３０】
補正後の投影データを再構成部１４に送り込む。再構成部１４がその投影データを再構成して、被検体Ｍの体内でのγ線の吸収を考慮した断層画像を求める。このように、吸収補正部１３、再構成部１４を備えることで、吸収補正データに基づいて投影データを補正するとともに、断層画像を補正する。補正された断層画像を、コントローラ７を介して出力部９に送り込む。
【００３１】
次に、本実施例装置における部位の判定方法について、図２の説明図および図３のフローチャートを参照して説明する。図２は、吸収補正データのプロファイルの説明図であり、図３は、足部を判定するときの一連の流れを示したフローチャートである。
【００３２】
（ステップＳ１）プロファイルのピークを検出
画像情報（図２では吸収補正データに関するγ線検出器の出力）を縦軸とし、γ線検出器のチャンネル方向を横軸としたときのプロファイルは、図２に示すとおりである。図２（ａ）は、腹部付近に関するプロファイルであって、図２（ｂ）は、足部に関するプロファイルである。部位判定部１２は、このプロファイルのピークを検出する。図２（ａ）の場合には、検出器中心Ｃにピークが検出され、図２（ｂ）の場合には、検出器中心Ｃにはピークがなく、落ち込んでおり、チャンネル方向に検出器中心Ｃから離れた箇所に２つのピークがそれぞれ検出される。
【００３３】
（ステップＳ２）２つのピークがあるか？
２つのピークがそれぞれ検出されない場合には、図２（ｂ）のように足部でないとしてステップＳ６に移行する。逆に、２つのピークがそれぞれ検出された場合には、ステップＳ３に進む。
【００３４】
（ステップＳ３）２つのピークの間に落ち込みがあるか？
２つのピークの間に、図２（ｂ）に示すような落ち込みがない場合には、図２（ｂ）のように足部でないとしてステップＳ６に移行する。逆に、２つのピークの間に落ち込むがある場合には、ステップＳ４に進む。落ち込みの判定としては、例えば、しきい値を予め設定して、ピーク値と落ち込みの対象となる値との差がしきい値以上であれば、その落ち込みの対象となる値が落ち込みであると判定する。
【００３５】
（ステップＳ４）２つのピークの間が検出器中心付近か？
２つのピークの間が、図２（ｂ）に示すように検出器中心Ｃ付近でなければ、図２（ｂ）のように足部でないとしてステップＳ６に移行する。逆に、２つのピークの間が検出器中心Ｃ付近であれば、ステップＳ５に進む。検出器中心Ｃ付近か否かの判定としては、例えばしきい値を予め設定して、２つのピークの間にあるチャンネル方向の位置座標と検出器中心Ｃの位置座標との差がしきい値以上であれば、２つのピークの間が検出器中心Ｃから離れていると判定するとともに、しきい値未満であれば、２つのピークの間が検出器中心Ｃ付近にあると判定する。
【００３６】
（ステップＳ５）足部と判定
ステップＳ２で２つのピークがそれぞれ検出され、かつステップＳ３で２つのピークの間に落ち込みがあり、かつステップＳ４で２つのピークの間が検出器中心Ｃ付近であれば、図２（ｂ）に示すように足部であると部位判定部１２は判定する。
【００３７】
（ステップＳ６）足部でないと判定
ステップＳ２〜Ｓ４のうちの各ステップに該当しない場合が１つでもあれば、例えば図２（ａ）のように腹部付近のように足部でないとして部位判定部１２は判定する。
【００３８】
このような一連の判定を行った後に、部位判定部１２による判定結果を、コントローラ７を介して天板駆動部６に送り込む。部位判定部１２が足部と判定した場合には、コントローラ７は天板駆動部６を操作して、天板１の移動速度を速くする制御を行う。部位判定部１２が足部でない（例えば腹部付近）と判定した場合には、コントローラ７は天板駆動部６を操作して、天板１の移動速度を遅くする制御を行う。なお、天板１の移動速度については、特に限定されず、適宜設定変更すればよいが、例えば足部では天板１の移動速度を足部以外での天板１の移動速度の２倍に設定する。
【００３９】
上述の構成を備えた本実施例装置によれば、被検体Ｍの外部にある点線源４について、その点線源４から照射されて被検体Ｍを透過したγ線により求められた形態情報（吸収補正データ）に基づいて、部位判定部１２は被検体Ｍの部位を足部である・足部でないと判定する。この形態情報を有した吸収補正データを利用して被検体Ｍの部位を足部である・足部でないと容易に判定することができる。
【００４０】
本実施例では、コントローラ７が、被検体Ｍの部位に基づいてデータ収集条件を設定変更することで、重要度の低い部位である足部ではデータ収集条件の収集度を低くして、重要度の高い部位である足部以外ではデータ収集条件の収集度を高くして、データ収集を効率よく行うことができる。
【００４１】
本実施例では、被検体Ｍの部位に基づいて、重要度の低い部位である足部では天板１の移動速度を速くして収集度を低くして、重要度の高い部位である足部以外では天板１の移動速度を遅くして収集度を高くして、データ収集を効率よく行う。
【００４２】
この発明は、上記実施形態に限られることはなく、下記のように変形実施することができる。
【００４３】
（１）上述した実施例では、ＰＥＴ装置を例に採って説明したが、この発明は、単一のγ線を検出して被検体の断層画像を再構成するＳＰＥＣＴ（Single Photon Emission CT）装置などにも適用することができる。
【００４４】
（２）上述した実施例では、シンチレータブロック３ａおよびフォトマルチプライヤ３ｂから構成される投影データ用のγ線検出器３が静止したままでγ線を検出する静止型であったが、シンチレータブロック３ａおよびフォトマルチプライヤ３ｂが被検体Ｍの周りを回転しながらγ線を検出する回転型でもよい。
【００４５】
（３）上述した実施例では、ＰＥＴ装置が点線源４を備え、点線源４が放射性薬剤と同じγ線を照射して被検体Ｍを透過することで、その放射線に基づいて形態情報として吸収補正データを求めたが、点線源４に代表される放射線源や形態情報については、これに限定されない。例えば、図４に示すように、ＰＥＴ装置とＸ線ＣＴ装置とを備えたＰＥＴ−ＣＴの診断システムに適用してもよい。
【００４６】
Ｘ線ＣＴ装置は、開口部２１ａを有したガントリ２１とＸ線管２２とＸ線検出器２３とを備えている。Ｘ線管２２およびＸ線検出器２３は、被検体Ｍを挟んで互いに対向配置されており、ガントリ２１内に埋設されている。Ｘ線検出器３を構成する多数個の検出素子は被検体Ｍの体軸Ｚ周りに扇状に並ぶ。
【００４７】
その他にもＸ線ＣＴ装置は、ガントリ駆動部２４と高電圧発生部２５とコリメータ駆動部２６とＣＴ再構成部２７とを備えて構成されている。ＣＴ再構成部２７は、ＲＯＭ（Read-only Memory）などで構成される記憶媒体（図示省略）に記憶されたプログラムあるいは入力部８で入力された命令をコントローラ７が実行することで実現され、これらで処理されたデータをＲＡＭ（Random-Access Memory）などに代表される記憶媒体（図示省略）に書き込んで記憶し、必要に応じてその記憶媒体から読み出す。
【００４８】
ガントリ駆動部２４は、互いに対向関係を維持させたままＸ線管２２とＸ線管検出器２３とをガントリ２１内で被検体Ｍの体軸Ｚ周りに回転させるように駆動する機構であって、図示を省略するモータなどで構成されている。
【００４９】
高電圧発生部２５は、Ｘ線管２２の管電圧や管電流を発生させる。コリメータ駆動部２６は、Ｘ線の照視野を設定し、Ｘ線管２２に近接されたコリメータ（図示省略）について水平方向の移動を行うように駆動する機構であって、図示を省略するモータなどで構成されている。
【００５０】
間接変換型のＸ線検出器２３の場合には、Ｘ線管２２から照射されて被検体Ｍを透過したＸ線を、Ｘ線検出器２３内のシンチレータ（図示省略）が光に変換するとともに、変換された光を光感応膜（図示省略）が光電変換して電気信号に出力する。直接変換型のＸ線検出器２３の場合には、Ｘ線を放射線感応膜（図示省略）が電気信号に直接的に変換して出力する。その電気信号を画像情報（画素）として、ＣＴ再構成部２７に送り込む。ＣＴ再構成部２７に送り込まれる画像情報はＣＴ用の投影データとして伝送される。
【００５１】
ＣＴ用の投影データは、実施例で述べた吸収補正データと同じように形態情報を有しており、この変形例では、ＣＴ用の投影データを吸収補正データとして用いるために吸収補正データ導出部１１に送りこむとともに、部位判定部１２にも送り込む。したがって、形態情報の基となる放射線源は、上述した実施例では点線源４であったのに対して、この変形例では、Ｘ線管２２となる。すなわち、この変形例では、Ｘ線管２２は、この発明における放射線源に相当する。
【００５２】
ＣＴ再構成部２７に送り込まれた画像情報（ＣＴ用の投影データ）を再構成して、ＣＴ用の断層画像を求める。このＣＴ用の断層画像を、コントローラ７を介して出力部９に送り込む。
【００５３】
吸収補正データ導出部１１を含むＰＥＴ装置の後段の処理部（吸収補正部１３や再構成部１４）の各機能については、実施例と同様なので、その説明を省略する。なお、再構成部１４で再構成されたＰＥＴ用の断層画像と、ＣＴ再構成部２７で再構成されたＣＴ用の断層画像とを出力部で重ね合わせて重畳出力してもよい。
【００５４】
この変形例によれば、Ｘ線ＣＴ装置において、被検体Ｍの外部から照射されて被検体Ｍを透過したＸ線に基づいてＣＴ用の投影データを求め、その投影データを再構成して被検体ＭのＣＴ用の断層画像を求める際に用いられるＸ線を利用し、このＸ線に基づいて形態情報を求める。そして、この形態情報を利用して被検体Ｍの部位を判定する。
【００５５】
（４）上述した実施例では、データ収集条件の一例として、被検体Ｍを載置する天板１の移動速度を例に採って説明したが、通常において用いられるデータ収集条件であれば、天板１の移動速度に限定されない。例えば、天板１の移動と停止とを繰り返しながら走査を行う場合には、重要度の低い部位では天板１の静止時間を短くして収集度を低くして、重要度の高い部位では天板１の静止時間を長くして収集度を高くしてもよい。
【００５６】
（５）上述した実施例では、この発明における部位判定手段（部位判定部１２）によって判定された被検体Ｍの部位に基づいて、診断データの収集に関するデータ収集条件を設定変更したが、被検体Ｍの部位を利用する目的は、データ収集条件の設定変更に限定されない。例えば、判定された被検体Ｍの部位を出力部９に出力してもよい。
【００５７】
（６）上述した実施例では、足部を重要度の低い部位とするとともに、足部以外の腹部や頭部を重要度の高い部位として、足部とそれ以外の部位とで判定して、データ収集条件を設定変更したが、症例によって頭部のみのデータ収集が必要で、それ以外の部位のデータ収集が重要でない場合には、頭部とそれ以外の部位とで判定してもよい。
【図面の簡単な説明】
【００５８】
【図１】（ａ）は実施例に係るＰＥＴ(Positron Emission Tomography)装置の側面図およびブロック図、（ｂ）はγ線検出器の具体的構成を示した拡大図である。
【図２】吸収補正データのプロファイルの説明図であり、（ａ）は腹部付近に関するプロファイル、（ｂ）は足部に関するプロファイルである。
【図３】足部を判定するときの一連の流れを示したフローチャートである。
【図４】変形例に係るＰＥＴ装置とＸ線ＣＴ装置とを備えたＰＥＴ−ＣＴの診断システムの側面図およびブロック図である。
【符号の説明】
【００５９】
４  …  点線源
７  …  コントローラ
１２  …  部位判定部
Ｍ  …  被検体
【図１】
2006262962.tif 000003
【図２】
2006262962.tif 000004
【図３】
2006262962.tif 000005
【図４】
2006262962.tif 000006